(57)【要約】【課題】抗磁力の異なる磁気ストライプを読取る場合にも同じレベルの読取出力が得られる磁気記録装置を提供することを目的とする。【解決手段】通帳に貼付される磁気ストライプには高抗磁力のものと低抗磁力のものがあるが、この複数種類の磁気ストライプを磁気ヘッドで読み取った場合の読取出力が同一となるような書き込み電流値（ｅ、ｆ）を磁気ストライプの種類ごとに格納する書込み電流テーブルを設け、抗磁力による磁気ストライプの種類を示す情報に基づいて書込み電流テーブルに格納された電流値を磁気ヘッドに設定する書込み電流設定部を設けたものである。【選択図】  図３
2008293377.tif 000002
【特許請求の範囲】
【請求項１】
媒体に設けられた磁気ストライプに対して磁気ヘッドを接触させて磁気情報を書込み／読取る磁気記録装置において、
複数種類の磁気ストライプを磁気ヘッドで読み取った場合の読取出力が同一となるような書き込み電流値を磁気ストライプの種類ごとに格納する電流値格納手段と、
磁気ストライプの種類を示す情報に基づいて前記電流値格納手段に格納された電流値を磁気ヘッドに設定する設定手段とを設けたことを特徴とする磁気記録装置。
【請求項２】
上位装置に接続され、
媒体の識別情報を読取る読取手段を備え、
前記読取手段により読取った媒体の識別情報を前記上位装置に送信し、該上位装置で磁気ストライプの種類を判断した判断結果を受信する請求項１記載の磁気記録装置。
【請求項３】
前記電流値格納手段は、装置ごとに電流値の補正値を格納する補正値格納手段を備え、
前記設定手段により設定された電流値を、前記補正値格納手段に格納された補正値により補正する請求項１または２記載の磁気記録装置。
【請求項４】
前記媒体は冊子状媒体であり、
前記電流値格納手段は、前記冊子状媒体の頁ごとに電流値の補正値を格納する頁補正値格納手段を備え、
前記設定手段により設定された電流値を、前記頁補正値格納手段に格納された補正値により補正する請求項１または２記載の磁気記録装置。
【発明の詳細な説明】
【技術分野】
【０００１】
本発明は、金融機関などで使用される通帳やカードに設けられる磁気ストライプに対して磁気情報の書込み／読取りを行う磁気記録装置に関する。
【背景技術】
【０００２】
従来、磁気記録装置は金融機関などで用いられる現金自動取引装置などに搭載されているが、こうした磁気記録装置は通帳やカードに貼付された磁気ストライプの磁気データを読取ったり、書き込んだりしている。通帳への磁気ストライプの貼付位置は金融機関の間で同じであるとは限らず、磁気ストライプの貼付位置が異なると同じ磁気記録装置で磁気記録処理ができない。
【０００３】
このような問題に対する対応策は、例えば特開２００１−１０１４８２号公報に開示されている。この公報に開示される解決策は、通帳処理装置にＯＣＲを設け、通帳の磁気ストライプの位置の相違により磁気ストライプの情報が読取れない場合、ＯＣＲで通帳の顧客情報を認識し、その顧客情報をホストコンピュータへ送り、ホストコンピュータで顧客情報が確認されると取引明細の印字を行うというものである。
【特許文献１】特開２００１−１０１４８２号公報
【発明の開示】
【発明が解決しようとする課題】
【０００４】
しかしながら、近年、磁気を発生する携帯電話等が普及しており、例えば、バッグなどに通帳と携帯電話を一緒に入れておくと、通帳の磁気ストライプが携帯電話の磁気の影響を受け、磁気ストライプの磁気データが消える、あるいは弱くなるという現象が多く発生するようになっている。この対策の一つとして、例えば、磁気ストライプの高抗磁力化がある。
【０００５】
高抗磁力化をするには、磁気ストライプそのものを新規に作成する必要がある。その結果、金融機関がそれまで使用していた低抗磁力の磁気ストライプを具備した通帳と新規に作成した高抗磁力の磁気ストライプを具備する通帳の両方が、一つの磁気記録装置で使用されることになり、装置側はどちらの磁気ストライプの通帳が挿入されるかはわからない。この場合、抗磁力の異なる磁気ストライプは読取出力が異なるという問題がある。これについて以下に図を用いて説明する。
【０００６】
図１０は磁気ヘッドで磁気を書き込むときの磁気の飽和特性を示すグラフ、図１１は磁気ストライプの読取出力を示すグラフである。図１０は磁気ヘッドで磁気情報を書き込むときの電流と磁気の読取出力の関係を示す飽和特性を示すもので、３００（Ｏｅ）の低抗磁力の磁気ストライプの場合を示す。この場合、通常、読取出力のピーク（ｃ）の８０％の出力の書込み電流（ａ）の３倍乃至５倍の電流値（図１０の例では３倍の電流値）を書込み電流値として設定する。このように設定される書込み電流値は、電流の変動に対して出力変動の少ない部分で磁気書込みを行うので、磁気書込み電流としては一般に最適と考えられている。
【０００７】
図１１は低抗磁力の磁気ストライプの読取出力と書込み電流の関係を示す波形１６および高抗磁力の磁気ストライプの読取出力と書込み電流の関係を示す波形１７を示す。図１１において、低抗磁力（例えば、３００Ｏｅ）の磁気ストライプの場合の書込み電流はｂで、そのときの読取出力はｃ１である。また高抗磁力（例えば、２７５０Ｏｅ）の磁気ストライプの場合は、書込み電流はｄで、そのときの読取出力はｃ２（≠ｃ１）である。
【０００８】
このように、ともに最適な書込み電流値で磁気書込みした場合の読取出力は異なり、１つの装置で読取出力を処理する場合は、いずれか一方の読取出力に合わせて処理しなければならない。その場合、通常は、悪い方の読取出力に合わせるので、良好に得られた他方の読取出力が犠牲になってしまうという問題があった。
【０００９】
また、磁気情報を読取る磁気ヘッドと磁気ストライプとの接触圧は装置ごとにばらつきがあるので、装置によって磁気書込みにばらつきが生じ、そのばらつきにより読取出力にもばらつきが発生し、読取出力を同じレベルにすることができないという問題がある。
【００１０】
さらに通帳などのように、製本化された媒体に磁気ストライプが取付けられている場合には、見開かれている頁ごとに磁気ヘッドの対する接触圧が異なり、磁気書込みにばらつきが生ずる。この結果、読取出力にもばらつきが発生し、読取出力を同じレベルにすることができないという問題がある。
【００１１】
そこで本発明は、抗磁力の異なる磁気ストライプを読取る場合にも同じレベルの読取出力が得られる磁気記録装置を提供することを目的とする。
また本発明は、装置による接触圧のばらつきがあっても、読取出力が同レベルになる磁気記録装置を提供することを目的とする。
さらに本発明は、頁ごとに接触圧のばらつきがある場合でも読取出力が押レベルになる磁気記録装置を提供することを目的とする。
【課題を解決するための手段】
【００１２】
上記課題を解決するために本発明は、媒体に設けられた磁気ストライプに対して磁気ヘッドを接触させて磁気情報を書込み／読取る磁気記録装置において、  複数種類の磁気ストライプを磁気ヘッドで読み取った場合の読取出力が同一となるような書き込み電流値を磁気ストライプの種類ごとに格納する電流値格納手段と、磁気ストライプの種類を示す情報に基づいて前記電流値格納手段に格納された電流値を磁気ヘッドに設定する設定手段とを設けたことを特徴とするものである。
【００１３】
また本発明は、電流値格納手段は、装置ごとに電流値の補正値を格納する補正値格納手段を備え、設定手段により設定された電流値を、前記補正値格納手段に格納された補正値により補正する構成とし、装置による接触圧のばらつきがあっても、読取出力が同レベルになる磁気記録装置を得るようにしたものである。
【００１４】
さらに本発明は、媒体は冊子状媒体であり、電流値格納手段は、冊子状媒体の頁ごとに電流値の補正値を格納する頁補正値格納手段を備え、設定手段により設定された電流値を、頁補正値格納手段に格納された補正値により補正する構成とし、頁ごとに接触圧のばらつきがある場合でも読取出力が押レベルになる磁気記録装置を得ることができるようにしたものである。
【発明の効果】
【００１５】
本発明によれば、抗磁力の異なる磁気ストライプを読取る場合でも同じレベルの読取出力が得られる。また電流値格納手段に、装置ごとに調整された電流値の補正値を格納するようにすることにより、装置による接触圧のばらつきがあっても、読取出力が同レベルになる磁気記録装置を得ることができる。
【００１６】
さらに本発明は、媒体を冊子状媒体とした場合、電流値格納手段に、冊子状媒体の頁ごとに調整された電流値の補正値を格納するようにすることにより、頁ごとに接触圧のばらつきがある場合でも読取出力が押レベルになる磁気記録装置を得ることができる。
【発明を実施するための最良の形態】
【００１７】
以下、本発明の実施の形態を図面にしたがって説明する。各図面に共通する要素には同一の符号を付す。図１は第１の実施の形態の通帳処理装置を示す構成図である。なお以下に説明する各実施の形態では磁気記録装置として自動取引装置に内蔵される通帳処理装置を例に説明する。
【００１８】
図１において、通帳処理装置１の左端部には吸入口２が設けられ、吸入口２から右方に搬送路３が形成されている。搬送路３に沿って、搬送ローラ対４ａ、４ｂ、４ｃ、４ｄ、４ｅ、磁気ヘッド５、改頁機構６、印字部７、頁・行読取部８が設けられている。吸入口２は磁気ストライプを具備した通帳Ｐが挿入されるとともに排出される部位である。搬送ローラ対４ａ、４ｂ、４ｃ、４ｄ、４ｅは、図示しないモータにより回転し、通帳Ｐを搬送路３上で搬送する。通帳Ｐは両方向に搬送される。
【００１９】
磁気ヘッド５は通帳Ｐに具備される磁気ストライプに対して磁気情報を書込み／読取るもので、磁気ヘッド５についての詳細は後述する。改頁機構６は、通帳の表紙または中紙を捲り、改頁を行う。印字部７は印字ヘッド７ａとプラテン７ｂにより構成され、通帳Ｐに取引情報などを印字する。頁・行読取部８は、通帳Ｐの所定の位置に印刷されている頁情報を読み取るもので、ＣＣＤセンサが設けられている。
【００２０】
また通帳処理装置１には、装置１全体の動作を制御する制御部９が設けられている。制御部９は上位装置１０と接続されており、上位装置１０は、磁気ストライプに関する情報を判別して書込み情報等を制御部９に指示する。上位装置１０は例えばホストコンピュータである。
【００２１】
図２は制御部および磁気ヘッドを示す制御ブロック図である。図２において、磁気ヘッド５はライトヘッド部５ａとリードヘッド部５ｂを有する。ライトヘッド部５ａは、与えられた電流で通帳Ｐの磁気ストライプ１１に対して情報を書き込む。リードヘッド部５ｂは、磁気ストライプ１１から磁気情報の読取を行う。また制御部９には、書込み電流テーブル９ａおよび解析部９ｂが設けられており、制御部９は書込み電流設定部１４および倍率設定部１５に接続されている。
【００２２】
書込み電流設定部１４は磁気ヘッド５のライトヘッド部５ａに流す電流を設定する。倍率設定部１５は磁気ヘッド５のリードヘッド部５ｂで読取った出力の倍率を設定する。解析部９ｂは磁気ヘッド５のリードヘッド部５ｂで読取られ、倍率設定部１５で増幅された読取出力を解析する。また書込み電流テーブル９ａは、書込み電流設定部１４で設定する電流値を格納する。
【００２３】
次に第１の実施の形態の動作を説明する。通帳処理装置１での処理動作に先立って、制御部９の書込み電流テーブル９ａには予め書込み電流値が格納されるが、まずこの書込み電流値の格納について説明する。抗磁力の異なる磁気ストライプを有する通帳ＰＡと通帳ＰＢを使用し、設定する書込み電流値を変化させながら、図３に示すように、書込み電流に対する読取出力を評価する。低抗磁力の磁気ストライプを有する通帳ＰＡと高抗磁力の磁気ストライプを有する通帳ＰＢの読取出力がともに同一（ｃ３）となり、かつ、各通帳ＰＡ、ＰＢに対し、最適の範囲内の書込み電流値ｅおよびｆを取得しておく。取得した電流値ｅ、ｆを制御部９の書込み電流テーブル９ａに保持させる。なお図３は書込み電流値の取得方法を示すグラフであり、符号１６は低抗磁力の磁気ストライプの波形を示し、符号１７は高抗磁力の磁気ストライプの波形を示す。
【００２４】
このように、取得した電流値ｅ、ｆを書込み電流テーブル９ａに保持させた状態で通帳処理装置１で通帳処理を行う。次に図４のフローチャートにしたがって通帳処理動作を説明する。図４は第１の実施の形態の通帳処理動作を示すフローチャートである。
【００２５】
まず通帳Ｐを通帳処理装置１の吸入口２から挿入すると、図示しない挿入検出センサがこれを検出し（ステップ１）、制御部９は図示しない駆動モータを回転させ、搬送ローラ対４ａ、４ｂ、４ｃ、４ｄ、４ｅを回転させる。これにより通帳Ｐは図１に示す矢印方向に搬送される。搬送の際、磁気ヘッド５のリードヘッド部５ｂは、通帳Ｐの背表紙に貼付されている磁気ストライプ１１の磁気情報を読取る（ステップ２）。ステップ２の読取出力は、制御部９の倍率設定部９ｂで倍率が設定され、その後解析部９ｃへ送られ、ここで読み取り情報の解析が行われる。
【００２６】
その後通帳Ｐは頁・行読取部８まで搬送され、ここで見開かれている頁および最終印字行が読取られる（ステップ３）。この読取状態を図５に示す。図５において、通帳Ｐは見開かれた状態にあり、見開かれた頁には頁を示す頁マーク１２が記載されており、この頁マーク１２を頁・行読取部８に設けられたＣＣＤセンサ１３で読取る。
【００２７】
最終印字行の次の行が見開かれている場合、通帳Ｐは印字部７へ搬送され、印字部７において印字ヘッド７ａにより取引情報などを印字する（ステップ４）。また最終印字行の次の行が見開かれていない場合、通帳Ｐは改頁部６まで戻され、ここで最終印字行の次の行が見開かれるように改頁が行われ、その後再び頁・行読取部８へ搬送し、見開き頁を確認した後、通帳Ｐを印字部７へ搬送し、印字を行う。
【００２８】
すべての印字処理が終了すると、通帳Ｐは磁気ヘッド５まで搬送される。制御部９は、ステップ３で磁気ヘッド５により読取った磁気情報および頁・行読取部８で読取った情報を上位装置１０へ送信する（ステップ５）。上位装置１０は受信した情報に基づいて、処理中の通帳Ｐの磁気ストライプ１２の種類、即ち、高抗磁力か低抗磁力かを判断する。例えば、ステップ３で読取った磁気情報の中に抗磁力に関する情報が含まれている場合にはその情報に基づいて高抗磁力か低抗磁力かを判断する。また頁・行読取部８で読取った情報の中に顧客情報が含まれている場合には、その顧客情報から高抗磁力か低抗磁力かを判断する。上位装置１０は判断した結果を制御部９へ送信する。
【００２９】
上位装置１０から判断結果を受信すると（ステップ６）、制御部９はその判断結果に基づいて、書込み電流値を書込み電流テーブル９ａから選択し、選択した書込み電流値を書込み電流設定部１４に設定する（ステップ７）。設定された書込み電流値の電流が磁気ヘッド５のライトヘッド部５ａに送られ、ライトヘッド部５ａはこの電流値の電流で磁気書込みを行う（ステップ８）。その後通帳Ｐは吸入口２から排出される（ステップ９）。
【００３０】
以上のように磁気書込みされた磁気ストライプ１１は、次回の通帳処理の際に、磁気ヘッド５により読取られたとき、高抗磁力の場合も低抗磁力の場合も、同じ読取出力（ｃ３）が得られる。高抗磁力の場合も低抗磁力の場合も、同じ読取出力が得られることの効果は、いずれの抗磁力側の読取性能を犠牲にすることなく、どちらの抗磁力側にも最適な読取出力で出力処理が可能になるということである。
【００３１】
以上のように第１の実施の形態では、いずれの抗磁力の磁気ストライプであっても同じ読取出力が得られる電流値で磁気書込みをするようにしたので、抗磁力の異なる磁気ストライプを読取る場合でも同じレベルの読取出力が得られる効果を奏する。
【００３２】
次に第２の実施の形態を説明する。図６は第２の実施の形態を示す制御ブロック図である。第２の実施の形態の通帳処理装置の全体の構成は、図１に示す第１の実施の形態と同様である。図６において、第２の実施の形態の通帳処理装置の制御部９は、書込み電流テーブル９ａおよび解析部９ｂが設けられ、さらに書込み電流テーブル９ａに補正値テーブル９ｃが設けられている。書込み電流テーブル９ａは、第１の実施の形態と同様に、書込み電流設定部１４で設定する電流値を格納するもので、補正値テーブル９ｃは、装置ごとの磁気読取出力の差に対応した書込み電流の差分を格納する。
【００３３】
第１の実施の形態と同様に、通帳処理装置１での処理動作に先立って、制御部９の書込み電流テーブル９ａに予め書込み電流値が格納される。このとき同時に、補正値テーブル９ｃに補正値が格納されるが、この格納動作について図７に従って説明する。図７は第２の実施の形態における電流値調整動作を示すフローチャートである。なお説明に当たっては図１を流用する。
【００３４】
まず、抗磁力の異なる磁気ストライプを有する通帳ＰＡと通帳ＰＢのいずれかを通帳処理装置１の吸入口２に挿入すると、図示しない挿入検出センサにより通帳の挿入が検出される（ステップ１１）。そして、設定する書込み電流値を変化させながら、図３に示すように、書込み電流に対する読取出力を評価する。低抗磁力の磁気ストライプを有する通帳ＰＡと高抗磁力の磁気ストライプを有する通帳ＰＢの読取出力がともに同一（ｃ３）となり、かつ、各通帳ＰＡ、ＰＢに対し、最適の範囲内の書込み電流値ｅおよびｆを取得しておく。取得した電流値ｅ、ｆを制御部９の書込み電流テーブル９ａに保持させる（ステップ１２）。
【００３５】
次に書込み電流テーブル９ａに格納した電流値で磁気書込みを行い、続いて読取を行う（ステップ１３）。ここで読取出力が想定した出力ｃ３であるかどうかを調べる（ステップ１４）。読取出力は、本来であれば想定した出力ｃ３となる筈であるが、装置の製造上のばらつきによりｃ３に近いが、ｃ３ではない値となることがある。読取出力がｃ３とならない場合、電流値を変更し、再度読取を行い、読取出力を調べる。これを、読取出力がｃ３になるまで繰り返す（ステップ１５）。読取出力がｃ３になると、調整時の電流値を補正値として補正値テーブル９ｃに記憶する（ステップ１６）。
【００３６】
以上により書込み電流値および補正値の格納動作を終了するが、この格納は、通帳処理装置１の工場出荷時または保守調整時等に行われる。
【００３７】
第２の実施の形態においては、通帳処理装置１において通帳処理として磁気書込みをする場合、上位装置１０からの判断結果に基づいて、制御部９は、書込み電流値を書込み電流テーブル９ａから選択するとともに、補正値テーブル９ｃから補正値を選択する。そして、選択した書込み電流値および補正値を書込み電流設定部１４に設定する。このように設定された書込み電流値の電流が磁気ヘッド５のライトヘッド部５ａに送られ、ライトヘッド部５ａはこの電流値の電流で磁気書込みを行う。
【００３８】
以上のように第２の実施の形態に拠れば、装置ごとに書込み電流値を調整し、書込み電流値に対する補正値を格納する補正値テーブル９ｃを設けたので、装置毎の磁気書込みのばらつきをなくし、同じレベルの読取出力を得ることを可能にする装置を実現できる。また抗磁力の異なる磁気ストライプを具備する２種類の通帳について、装置の製造上のばらつきがあるい場合でも、読取出力が同じレベルにできる磁気書込みを行うことが可能になる。
【００３９】
次に第３の実施の形態を説明する。図８は第３の実施の形態を示す制御ブロック図である。第３の実施の形態の通帳処理装置の全体の構成は、図１に示す第１の実施の形態と同様である。図８において、第３の実施の形態の通帳処理装置の制御部９には、書込み電流テーブル９ａおよび解析部９ｂが設けられ、さらに書込み電流テーブル９ａに頁補正値テーブル９ｄが設けられている。書込み電流テーブル９ａは、書込み電流設定部１４で設定する電流値を格納する。頁補正値テーブル９ｄは、通帳Ｐの頁ごとの磁気読取出力の差に対応した書込み電流の差分を格納する。
【００４０】
第１の実施の形態と同様に、通帳処理装置１での処理動作に先立って、制御部９の書込み電流テーブル９ａに予め書込み電流値が格納される。このとき同時に、頁補正値テーブル９ｄに頁ごとの補正値が格納される。この格納動作について図９に従って説明する。図９は第３の実施の形態における電流値調整動作を示すフローチャートである。なお説明に当たっては図１を流用する。
【００４１】
まず、抗磁力の異なる磁気ストライプを有する通帳ＰＡと通帳ＰＢのいずれかを通帳処理装置１の吸入口２に挿入すると、図示しない挿入検出センサにより通帳の挿入が検出される（ステップ２１）。そして、設定する書込み電流値を変化させながら、図３に示すように、書込み電流に対する読取出力を評価する。低抗磁力の磁気ストライプを有する通帳ＰＡと高抗磁力の磁気ストライプを有する通帳ＰＢの読取出力がともに同一（ｃ３）となり、かつ、各通帳ＰＡ、ＰＢに対し、最適の範囲内の書込み電流値ｅおよびｆを取得しておく。取得した電流値ｅ、ｆを制御部９の書込み電流テーブル９ａに保持させる（ステップ２２）。
【００４２】
次に書込み電流テーブル９ａに格納した電流値で磁気書込みを行い、続いて読取を行う（ステップ２３）。ここで得られた読取出力と本来想定した出力ｃ３との差分を算出する（ステップ２４）。算出した差分は頁補正値として頁補正値テーブル９ｄに記憶する（ステップ２５）。磁気読取りを行った頁が最終頁かいなかを判断し（ステップ２６）、最終頁でなければ、次に通帳Ｐを改頁部６へ搬送し、頁を１枚捲る（ステップ２７）。そしてステップ２３へ戻り、それ以降の動作を繰り返す。
【００４３】
以上により書込み電流値が書込み電流テーブル９ａに格納されるとともに、通帳Ｐの頁ごとの電流補正値が頁補正値テーブル９ｄに格納される。この格納動作は、通帳処理装置１の工場出荷時または保守調整時等に行われる。
【００４４】
第３の実施の形態においては、通帳処理装置１において通帳処理として磁気書込みをする場合、上位装置１０からの判断結果に基づいて、制御部９は、書込み電流値を書込み電流テーブル９ａから選択するとともに、頁・行読取部８で読取った頁情報に基づいて頁補正値テーブル９ｄから頁補正値を読み出す。そして、読み出した書込み電流値および頁補正値を書込み電流設定部１４に設定する。このように設定された書込み電流値の電流が磁気ヘッド５のライトヘッド部５ａに送られ、ライトヘッド部５ａはこの電流値の電流で磁気書込みを行う。
【００４５】
以上のように第３の実施の形態に拠れば、頁ごとの補正値を装置内に持つことにより、頁・行読取部８で事前に読取った頁に対応する補正値を書込み電流値に足しこむことにより、見開き頁による磁気ヘッド５の接触圧が異なる等、通帳の状態に起因する書込みばらつきを少なくすることが可能になる。
【００４６】
本発明は上記各実施の形態に限定されるものではなく、種々の変形が可能である。例えば、上記各実施の形態では磁気ストライプを具備する媒体として冊子状の通帳を例にして説明しているが、磁気ストライプを具備する媒体は他にもカードがある。なおカードの場合には上記第３の実施の形態は適用されない。
【００４７】
また上記第１の実施の形態の説明において、磁気ヘッド５および頁・行読取部８で読取った情報を上位装置１０へ送信し、上位装置１０で磁気ストライプ１１の種別を判断しているが、磁気ヘッド５および頁・行読取部８で読取った情報に基づいて装置内の制御部９で判断するようにしてもよい。
【図面の簡単な説明】
【００４８】
【図１】第１の実施の形態の通帳処理装置を示す構成図である。
【図２】制御部および磁気ヘッドを示す制御ブロック図である。
【図３】書込み電流値の取得方法を示すグラフである。
【図４】第１の実施の形態の通帳処理動作を示すフローチャートである。
【図５】通帳の読取状態を示す説明図である。
【図６】第２の実施の形態を示す制御ブロック図である。
【図７】第２の実施の形態における電流値調整動作を示すフローチャートである。
【図８】第３の実施の形態を示す制御ブロック図である。
【図９】第３の実施の形態における電流値調整動作を示すフローチャートである。
【図１０】磁気ヘッドの飽和特性を示すグラフである。
【図１１】磁気ストライプの読取出力を示すグラフである。
【符号の説明】
【００４９】
１  通帳処理装置
５  磁気ヘッド
９  制御部
９ａ  書込み電流テーブル
９ｃ  補正値テーブル
９ｄ  頁補正値テーブル
１１  磁気ストライプ
１４  書込み電流設定部
Ｐ  通帳
【図１】
2008293377.tif 000003
【図２】
2008293377.tif 000004
【図３】
2008293377.tif 000005
【図４】
2008293377.tif 000006
【図５】
2008293377.tif 000007
【図６】
2008293377.tif 000008
【図７】
2008293377.tif 000009
【図８】
2008293377.tif 000010
【図９】
2008293377.tif 000011
【図１０】
2008293377.tif 000012
【図１１】
2008293377.tif 000013